(57)【特許請求の範囲】
【請求項１】
第１壁と、第２壁と、前記第１壁及び前記第２壁の間に接続された第１長手方向壁とを備え、通路が、前記第１壁と前記第２壁と前記第１長手方向壁とによって画定される第１レールと、
前記第１レールの前記通路の中に可動に取り付けられている第２レールと、
前記第１レールの前記通路の中に配置されているスライド補助デバイスであり、前記第１レールと前記第２レールとの間で支持を行うように構成された複数の転動部材を備えているスライド補助デバイスと、
前記第１レールに配置され、前記第１レールの端部と前記第１壁とに隣接している第１機能部材であり、第１機能部分と第２機能部分とを含み、前記第１機能部分は、前記第１レールの前記通路の中に位置し、前記第２機能部分は、前記第１レールの前記端部を越えて前記第１レールの前記通路の外に位置する、第１機能部材と、
を備えるスライドレール組立体であって、
前記第２レールが第１所定位置から第１方向に沿って移動され、前記第２レールのレール区間が前記第１レールの前記端部を越えて前記第１レールの前記通路の外に位置するときに、前記第１機能部材の前記第２機能部分は、前記第２レールの前記レール区間の一部を支持するように構成され、
前記第１機能部材の前記第１機能部分は、前記第１レールの前記通路の中から前記第１レールの前記通路の外へ前記スライド補助デバイスが移動されることを防止するように構成されている、スライドレール組立体。
【請求項２】
前記第２レールは少なくとも一つの押圧部を備え、前記第２レールが前記第１所定位置から前記第１方向に沿って第２所定位置へ移動されたときに、前記スライド補助デバイスは前記第２レールの少なくとも一つの前記押圧部に押圧され、第１スライド補助位置から第２スライド補助位置へ移動され、
前記第１機能部材の前記第１機能部分は、前記第２スライド補助位置で停止するように前記スライド補助デバイスを阻むことができ、これにより、前記第１レールの前記通路の中から前記第１レールの前記通路の外へ前記スライド補助デバイスが移動されることを防止し、
前記第１機能部材の前記第１機能部分及び前記第２機能部分は、一つの構成要素に一体に設けられ、
前記スライドレール組立体はさらに、前記第２レールの通路の中に可動に取り付けられている第３レールを備えている、請求項１記載のスライドレール組立体。
【請求項３】
前記第２レールは第３壁と、第４壁と、前記第３壁及び前記第４壁の間に接続された第２長手方向壁とを備え、
前記スライドレール組立体はさらに第２機能部材を備え、前記第２機能部材が前記第１レールに配置され、前記第１レールの前記端部と前記第２壁とに隣接し、
前記第２レールが前記第１所定位置から前記第１方向に沿って移動され、前記第２レールの前記レール区間が前記第１レールの前記端部を越えて前記第１レールの前記通路の外に位置するときに、前記第１機能部材の前記第２機能部分と前記第２機能部材の前記第２機能部分とはそれぞれ、前記第２レールの前記レール区間の前記第３壁と前記第４壁との少なくとも一部を支持するように構成されている、請求項１記載のスライドレール組立体。
【請求項４】
前記スライド補助デバイスの複数の前記転動部材は、少なくとも一つの下側転動ボールと少なくとも一つの上側転動ボールとを含み、少なくとも一つの前記下側転動ボールは、前記第１レールの前記第１壁と前記第２レールの前記第３壁との間で支持を行うように構成され、少なくとも一つの前記上側転動ボールは、前記第１レールの前記第２壁と前記第２レールの前記第４壁との間で支持を行うように構成され、
前記第１機能部材の横断面は、第１支持断面部と第２支持断面部とを備え、前記第２機能部材の横断面は、第１支持断面部と第２支持断面部とを備え、
前記第１機能部材の前記第１支持断面部と前記第２支持断面部とはそれぞれ、前記第１レールの前記第１壁のボール溝と、前記第２レールの前記第３壁のボール溝とに対応するように構成され、
前記第２機能部材の前記第１支持断面部と前記第２支持断面部とはそれぞれ、前記第１レールの前記第２壁のボール溝と、前記第２レールの前記第４壁のボール溝とに対応するように構成され、
前記スライドレール組立体はさらに、ブラケットデバイスを備え、前記ブラケットデバイスは、前記第１レールに接続され、前記第１レールの前記端部に隣接し、前記ブラケットデバイスは、第１支持壁と、第２支持壁と、前記第１支持壁及び前記第２支持壁の間に接続された側壁とを備え、
前記第１支持壁は、前記第１レールの前記第１壁と前記第１機能部材の前記第２機能部分とを支持するように構成され、前記第２支持壁は、前記第１レールの前記第２壁と前記第２機能部材の前記第２機能部分とを支持するように構成されている、請求項３記載のスライドレール組立体。
【請求項５】
前記ブラケットデバイスの前記第１支持壁は、第１特徴部を有し、前記第１機能部材の前記第２機能部分は、第２特徴部を有し、前記第１特徴部及び前記第２特徴部は、互いに対応し、
前記ブラケットデバイスの前記第２支持壁は、第３特徴部を有し、前記第２機能部材の前記第２機能部分は、第４特徴部を有し、前記第３特徴部及び前記第４特徴部は、互いに対応し、
前記ブラケットデバイスはさらに、少なくとも一つの取り付け部材を備え、少なくとも一つの前記取り付け部材は前記第１レールをラックに取り付けるように構成されている、請求項４記載のスライドレール組立体。
【請求項６】
通路が画定されている第１レールと、
前記第１レールの前記通路の中に可動に取り付けられている第２レールと、
前記第１レールの前記通路の中に配置されているスライド補助デバイスと、
前記第１レールに配置され、前記第１レールの端部に隣接している第１機能部材であり、第１機能部分と、前記第１機能部分に接続された第２機能部分とを含み、前記第１機能部分は、前記第１レールの前記通路の中に位置し、前記第２機能部分は、前記第１レールの前記端部を越えて前記第１レールの前記通路の外に位置する、第１機能部材と、
を備えるスライドレール組立体であって、
前記第２レールが第１所定位置から第１方向に沿って移動され、前記第２レールのレール区間が前記第１レールの前記端部を越えて前記第１レールの前記通路の外に位置するときに、前記第１機能部材の前記第２機能部分は、前記第２レールの前記レール区間の一部を支持するように構成されている、スライドレール組立体。
【請求項７】
前記第１レールは第１壁と、第２壁と、前記第１壁及び前記第２壁の間に接続された第１長手方向壁とを備え、前記通路が、前記第１壁と前記第２壁と前記第１長手方向壁とによって画定され、
前記第１機能部材が前記第１レールに配置され、前記第１壁に隣接し、前記第１機能部材の材料は金属材料であり、ブラケットデバイスはさらに、少なくとも一つの取り付け部材を備え、少なくとも一つの前記取り付け部材は、前記第１レールをラックに取り付けるように構成されている、請求項６記載のスライドレール組立体。
【請求項８】
前記第２レールは第３壁と、第４壁と、前記第３壁及び前記第４壁の間に接続された第２長手方向壁とを備え、
前記スライドレール組立体はさらに第２機能部材を備え、前記第２機能部材が前記第１レールに配置され、前記第１レールの前記端部と前記第２壁とに隣接し、
前記第２レールが前記第１所定位置から前記第１方向に沿って移動され、前記第２レールの前記レール区間が前記第１レールの前記端部を越えて前記第１レールの前記通路の外に位置するときに、前記第１機能部材の前記第２機能部分と前記第２機能部材の前記第２機能部分とはそれぞれ、前記第２レールの前記レール区間の前記第３壁と前記第４壁との少なくとも一部を支持するように構成されている、請求項７記載のスライドレール組立体。
【請求項９】
さらにブラケットデバイスを備え、前記ブラケットデバイスは、前記第１レールに接続され、前記第１レールの前記端部に隣接し、前記ブラケットデバイスは、第１支持壁と、第２支持壁と、前記第１支持壁及び前記第２支持壁の間に接続された側壁とを備え、
前記第１支持壁は、前記第１レールの前記第１壁と前記第１機能部材の前記第２機能部分とを支持するように構成され、前記第２支持壁は、前記第１レールの前記第２壁と前記第２機能部材の前記第２機能部分とを支持するように構成されている、請求項８記載のスライドレール組立体。
【請求項１０】
前記ブラケットデバイスの前記第１支持壁は、第１特徴部を有し、前記第１機能部材の前記第２機能部分は、第２特徴部を有し、前記第１特徴部及び前記第２特徴部は、互いに対応し、
前記ブラケットデバイスの前記第２支持壁は、第３特徴部を有し、前記第２機能部材の前記第２機能部分は、第４特徴部を有し、前記第３特徴部及び前記第４特徴部は、互いに対応する、請求項９記載のスライドレール組立体。
【発明の詳細な説明】
【技術分野】
【０００１】
本発明は、スライドレール組立体に関し、さらに詳しくは、スライドレールを支持する構造が改良されたスライドレール組立体に関する。
【背景技術】
【０００２】
図１〜３に示すように、スライドレールを支持する構造を備えたスライドレール組立体が例示されている。スライドレール組立体は、第１レール１００、第２レール１０２、第３レール１０４、第１転動ボールデバイス１０６、第２転動ボールデバイス１０８、第１ブロック基部１１０、第２ブロック基部１１２、第１ブラケット１１４及び第２ブラケット１１６を備えている。この第１転動ボールデバイス１０６は、第１レール１００と第２レール１０２との間に配置されている。第２転動ボールデバイス１０８は、第２レール１０２と第３レール１０４との間に配置されている。第１ブロック基部１１０は、第１レール１００の前端部に隣接して固着して配置され、第１転動ボールデバイス１０６が第１レール１００の外へスライドすることを防止し、さらに第２レール１０２を支持するように構成されている。同様に、第２ブロック基部１１２は、第２レール１０２の前端部に隣接して固着して配置され、第２転動ボールデバイス１０８が第２レール１０２の外へスライドすることを防止し、さらに第３レール１０４を支持するように構成されている。第１ブラケット１１４と第２ブラケット１１６とはそれぞれ、スライドレール組立体をラックの二つの柱に取り付けるために、第１レール１００の二つの端部に配置されている。例えば、図３に示すように、第１ブラケット１１４はラックの前柱１１８に取り付けられている。二つの支持部材１２０はそれぞれ、第１ブラケット１１４の上側と下側とに配置され（図１，３に示す）、第１ブラケット１１４の上側及び下側で規定される通路１２２の中で第２レール１０２が移動されたときに、第２レール１０２と接触する構成である。二つの支持部材１２０は第２レール１０２を支持することができ、第１ブラケット１１４と第２レール１０２との間の支持能力をさらに高める。
【先行技術文献】
【特許文献】
【０００３】
【特許文献１】欧州特許第２７７７４３１号明細書
【特許文献２】米国特許出願公開第２０１４／０２６５７８６号明細書
【発明の概要】
【０００４】
上述の図１〜３は、本願の出願人によって先に提案された、特許文献１の構成である。しかし、異なる規格のシャーシが必要とするスライドレールの異なる耐荷重に起因して、多くの異なったレールの断面タイプが、異なるシャーシの取り付け要件を満たすために開発されてきた。従来技術の二つの支持部材１２０は、追加して構成される必要があるのみならず、伸長位置にあるスライドレール（例えば第２レール１０２）を二つの支持部材１２０が支持する接触構造を確保し、これにより効果的な支持を図ることがさらに必要である。これに加え、第１ブラケット１１４に配置された二つの支持部材１２０に起因して、ギャップ１２４が、二つの支持部材１２０と第１ブロック基部１１０との間に形成される。従って、構造的な強度はさらに高められることができる。一方、第１ブラケット１１４に配置された二つの支持部材１２０に起因して、異なるシャーシの仕様（例えば１Ｕシャーシ又は２Ｕシャーシ）によってスライドレールに対応するために、ブラケットは、１Ｕ、２Ｕ又は他の規格の構成要素に合わせて用意される必要がある。余分な材料が余分なコストを生じさせ、在庫管理の負担を増してしまう。
【０００５】
従って、従来技術の構成を最適化するために、本発明が提供される。
【０００６】
本発明の目的は、スライドレールを支持する構造が改良されたスライドレール組立体に関する。
【０００７】
本発明の一つの態様によれば、スライドレール組立体は、第１レールと、第２レールと、スライド補助デバイスと、第１機能部材とを備えている。第１レールは、第１壁と、第２壁と、第１壁及び第２壁の間に接続された第１長手方向壁とを備え、通路が、第１壁と第２壁と第１長手方向壁とによって画定される。第２レールは、第１レールの通路の中に可動に取り付けられている。スライド補助デバイスは、第１レールの通路の中に配置され、第１レールと第２レールとの間で支持を行うように構成された複数の転動部材を備えている。第１機能部材は、第１レールに配置され、第１レールの端部に隣接し、第１機能部分と第２機能部分とを含み、第１機能部分は、第１レールの通路の中に位置し、第２機能部分は、第１レールの端部を越えて第１レールの通路の外に位置する。第２レールが第１所定位置から第１方向に移動され、第２レールのレール区間が第１レールの端部を越えて第１レールの通路の外に位置するときに、第１機能部材の第２機能部分は、第２レールのレール区間の少なくとも一部を支持するように構成され、第１機能部材の第１機能部分は、第１レールの通路の中から第１レールの通路の外へスライド補助デバイスが移動されることを防止するように構成されている。
【０００８】
本発明の別の態様によれば、スライドレール組立体は、第１レールと、第２レールと、スライド補助デバイスと、第１機能部材とを備えている。第１レールは、通路が画定されている。第２レールは、第１レールの通路の中に可動に取り付けられている。スライド補助デバイスは、第１レールの通路の中に配置されている。第１機能部材は、第１レールに配置され、第１レールの端部に隣接し、第１機能部分と、第１機能部分に接続された第２機能部分とを含み、第１機能部分は、第１レールの通路の中に位置し、第２機能部分は、第１レールの端部を越えて第１レールの通路の外に位置する。第２レールが第１所定位置から第１方向に移動され、第２レールのレール区間が第１レールの端部を越えて第１レールの通路の外に位置するときに、第１機能部材の第２機能部分は、第２レールのレール区間の一部を支持するように構成されている。
【図面の簡単な説明】
【０００９】
本発明のこれら及び他の目的は、様々な図及び図面に例示された好ましい実施形態の以下の詳細な説明を読んだ後、当業者には、疑いなく明らかになる。
【００１０】
【図１】従来技術に係り、退避状態にあり、スライドレールを支持する構造を有するスライドレール組立体を示す図である。
【図２】従来技術のスライドレール組立体を示す横断面図である。
【図３】従来技術に係り、ラックに取り付けられ、伸長状態にあり、スライドレールを支持する構造を有するスライドレール組立体を示す図である。
【図４】本発明の実施形態のスライドレール組立体を示す図である。
【図５】本発明の実施形態のスライドレール組立体を示す分解図である。
【図６】本発明の実施形態に係り、第１レール、ブラケットデバイス及び少なくとも一つの機能部材を含んでいるスライドレール組立体を示す図である。
【図７】本発明の実施形態のスライドレール組立体の退避状態を示す図である。
【図８】本発明の実施形態に係り、伸長状態にあるスライドレール組立体を示す図である。
【図９】本発明の実施形態に係り、ラックに取り付けられ、伸長状態にあるスライドレール組立体を示す図である。
【図１０】本発明の実施形態のスライドレール組立体を示す横断面図である。
【発明を実施するための形態】
【００１１】
図４及び５に示すように、本発明の実施形態のスライドレール組立体２０は、第１レール２２と、第２レール２４と、スライド補助デバイス２６と、少なくとも一つの機能部材（例えば第１機能部材２８と第２機能部材３０）を含む。好ましくは、スライドレール組立体２０はさらに、第３レール３２とブラケットデバイス３３とを含む。
【００１２】
第１レール２２は第１端部２２ａと第２端部２２ｂと（例えば前端部と後端部であるが、本発明は限定されない）を有する。第１レール２２は、第１壁３４ａと、第２壁３４ｂと、第１壁３４ａ及び第２壁３４ｂの間に接続された第１長手方向壁３６を含む。第１壁３４ａと第２壁３４ｂと第１長手方向壁３６とによって、通路３８が画定されている。
【００１３】
第２レール２４は、第１レール２２の通路３８の中に可動に取り付けられている。第２レール２４は、第３壁４０ａと、第４壁４０ｂと、第３壁４０ａ及び第４壁４０ｂの間に接続された第２長手方向壁４２とを含む。第３壁４０ａと第４壁４０ｂと第２長手方向壁４２とによって、通路が画定されている。第３レール３２は、第２レール２４の通路の中に可動に取り付けられている。
【００１４】
スライド補助デバイス２６は、第１レール２２の通路３８の中に配置されている。スライド補助デバイス２６は、第２レール２４と第１レール２２との間の移動の滑らかさを高めるように構成された複数の転動部材（転動ボール）４４を含む。例えば、スライド補助デバイス２６は第１スライド補助部２６ａと第２スライド補助部２６ｂとを含む。第１スライド補助部２６ａ及び第２スライド補助部２６ｂはそれぞれ、複数の下側転動部材４４及び複数の上側転動部材４４を含む（図７，８を参照する）。
【００１５】
図５，６に示すように、第１機能部材２８と第２機能部材３０とは第１レール２２に固着して配置され、第１レール２２の端部（例えば第１端部２２ａ）に隣接して位置する。好ましくは、第１機能部材２８と第２機能部材３０とはいずれも、金属材料を含む。第１機能部材２８は第１レール２２の第１壁３４ａに隣接して配置され、第２機能部材３０は第１レール２２の第２壁３４ｂに隣接して配置されている。第１機能部材２８と第２機能部材３０とは、実質的に同じ接続方法で、第１レール２２に接続されている。第１機能部材２８と第２機能部材３０とは実質的に同じ構造的な構成を有する。
【００１６】
例えば第１機能部材２８を例に挙げると、第１機能部材２８と第１レール２２とはそれぞれ、第１接続部４６と、第１接続部４６に対応する第２接続部４８とを含む。第１接続部４６と第２接続部４８とは互いに接続されるように構成されている。本実施形態では、第１接続部４６と第２接続部４８とは係合又は締結によって接続される。ある実施形態では、第１接続部４６と第２接続部４８とは、リベット又は溶着で接続されてよいが、本発明はこれに限定されない。さらに、第１機能部材２８は第１機能部分５０と第２機能部分５２とを含む。ここでは、第１機能部分５０と第２機能部分５２とは、一体に設けることによって互いに接続されるという例を例示している。
【００１７】
第１接続部４６は第１機能部分５０に配置されているが、本発明はこれに限定されない。第１機能部分５０は、第１レール２２の通路３８の中に位置する。第２機能部分５２は、第１レール２２の第１端部２２ａを越えて、第１レール２２の通路３８の外に位置する。
【００１８】
ブラケットデバイス３３は、第１レール２２に接続され、第１レール２２の第１端部２２ａと隣接して位置する。ブラケットデバイス３３は、第１支持壁５４ａと、第２支持壁５４ｂと、第１支持壁５４ａ及び第２支持壁５４ｂの間に接続された側壁５６とを含む。第１支持壁５４ａは、第１レール２２の第１壁３４ａと第１機能部材２８の第２機能部分５２とを支持するように構成されている。第２支持壁５４ｂは、第１レール２２の第２壁３４ｂと第２機能部材３０の第２機能部分５２とを支持するように構成されている。
【００１９】
好ましくは、ブラケットデバイス３３の第１支持壁５４ａと第１機能部材２８の第２機能部分５２とはそれぞれ、第１特徴部５８と、第１特徴部５８に対応する第２特徴部６０とを有する。ブラケットデバイス３３の第２支持壁５４ｂと第２機能部材３０の第２機能部分５２とはそれぞれ、第３特徴部６２と、第３特徴部６２に対応する第４特徴部６４とを有する。本実施形態では、第１特徴部５８と第２特徴部６０との構造は、互いに係合する凸構造と凹構造との組み合わせであり、これにより第１支持壁５４ａと第１機能部材２８の第２機能部分５２とは、互いに支持しあう、又は互いに係合しあうことができる。同様に、第３特徴部６２と第４特徴部６４との構造は、互いに係合する凸構造と凹構造との組み合わせであり、これにより第２支持壁５４ｂと第２機能部材３０の第２機能部分５２とは、互いに支持しあう、又は互いに係合しあうことができる。
【００２０】
好ましくは、ブラケットデバイス３３はさらに、側壁５６に対して実質的に垂直に曲がっている端壁６６を含む。少なくとも一つの取り付け部材６８が、端壁６６に配置されている。少なくとも一つの取り付け部材６８は、第１レール２２をラックに取り付けるように構成されている。
【００２１】
図７に示すように、スライドレール組立体２０は退避状態にある。この第２レール２４は第１レール２２に対して第１所定位置Ｐ１（例えば退避位置であるが、これに限定されない）に位置し、第３レール３２は第２レール２４に対して退避し、スライド補助デバイス２６（例えば第１スライド補助部２６ａと第２スライド補助部２６ｂ）は第１スライド補助位置Ｋ１に位置する。これに加え、スライド補助デバイス２６の第１スライド補助部２６ａの複数の下側転動部材４４は、第１レール２２の第１壁３４ａと第２レール２４の第３壁４０ａとの間で支持を行うように構成されている。スライド補助デバイス２６の第２スライド補助部２６ｂの複数の上側転動部材４４は、第１レール２２の第２壁３４ｂと第２レール２４の第４壁４０ｂとの間で支持を行うように構成されている。
【００２２】
好ましくは、第１レール２２はさらに、第１レール２２の第２端部２２ｂに隣接する少なくとも一つのブロック部７０を含む。少なくとも一つのブロック部７０は、第２レール２４が第２方向（例えば退避方向）に移動されて、第１レール２２から外れることを防止する。
【００２３】
好ましくは、第２レール２４はさらに少なくとも一つの押圧部を含む。例えば、第２レール２４は、スライド補助デバイス２６の第１スライド補助部２６ａと第２スライド補助部２６ｂとに対応する第１押圧部７２ａと第２押圧部７２ｂとを含む。
【００２４】
図７，８に示すように、第２レール２４が第１所定位置Ｐ１から第１方向Ｄ１（例えば伸長方向）に移動され、第２レール２４のレール区間Ｘが第１レール２２の第１端部２２ａを越えて第１レール２２の通路３８の外に位置するときに、少なくとも一つの機能部材（例えば第１機能部材２８）の第２機能部分５２は、第２レール２４のレール区間Ｘの少なくとも一部を支持するように構成できる。これに加えて、少なくとも一つの機能部材（例えば第１機能部材２８）の第１機能部分５０は、第１レール２２の通路３８の中から第１レール２２の通路３８の外へスライド補助デバイス２６が移動されることを防止するように構成されている。具体的には、第２レール２４が第１所定位置Ｐ１から第１方向Ｄ１に第２所定位置Ｐ２（例えば伸長位置であるが、これに限定されない）へ移動されたときに、スライド補助デバイス２６は、少なくとも一つの押圧部（即ち第１押圧部７２ａと第２押圧部７２ｂ）に押圧され、第１スライド補助位置Ｋ１から第１方向Ｄ１に第２スライド補助位置Ｋ２へ移動される（図８に示す）。少なくとも一つの機能部材（例えば第１機能部材２８と第２機能部材３０）の第１機能部分５０は、第２スライド補助位置Ｋ２で停止するようにスライド補助デバイス２６を阻む（例えば第１スライド補助部２６ａと第２スライド補助部２６ｂを阻む）ことができる。これにより、第１レール２２の通路３８の中から第１レール２２の通路３８の外へスライド補助デバイス２６が移動されることを防止する。
【００２５】
好ましくは、第２レール２４が第１所定位置Ｐ１から第１方向Ｄ１に第２所定位置Ｐ２へ移動され、スライドレール組立体２０が伸長状態にあり、第２レール２４のレール区間Ｘが第１レール２２の第１端部２２ａを越えて第１レール２２の通路３８の外に位置するときに、第１機能部材２８の第２機能部分５２と第２機能部材３０の第２機能部分５２とはそれぞれ、第２レール２４のレール区間Ｘの第３壁４０ａ（の少なくとも一部）と、第４壁４０ｂの少なくとも一部とを支持するように構成されている（図８に示す）。
【００２６】
好ましくは、第２レール２４が第１所定位置Ｐ１から第１方向Ｄ１に第２所定位置Ｐ２へ移動されたときに、第１スライド補助部２６ａの二つの端部（例えば前端部と後端部）はそれぞれ、第１機能部材２８の第１機能部分５０と第２レール２４の第１押圧部７２ａとに突き当たり、第２スライド補助部２６ｂの二つの端部（例えば前端部と後端部）はそれぞれ、第２機能部材３０の第１機能部分５０と第２レール２４の第２押圧部７２ｂとに突き当たる（図８に示す）。
【００２７】
図９に示すように、ブラケットデバイス３３の少なくとも一つの取り付け部材６８は、ラックの柱７４に第１レール２２を取り付けるように構成されている。このスライドレール組立体２０は伸長状態にある。伸長状態のスライドレール組立体２０の構造的な構成を、図８に示す。単純化のために、これ以上は例示しない。
【００２８】
図１０に示すように、第１機能部材２８の横断面及び第２機能部材３０の横断面はいずれも、第１支持断面部（ｓｅｃｔｉｏｎ）７６と第２支持断面部７８とを含む。第１機能部材２８の第１支持断面部７６と第２支持断面部７８とはそれぞれ、第１レール２２の第１壁３４ａの第１ボール溝８０ａと、第２レール２４の第３壁４０ａの第２ボール溝８０ｂとに対応するように構成されている（例えば、支持断面部及びボール溝は相互に支持する）。第２機能部材３０の第１支持断面部７６と第２支持断面部７８とはそれぞれ、第１レール２２の第２壁３４ｂの第３ボール溝８０ｃと、第２レール２４の第４壁４０ｂの第４ボール溝８０ｄとに対応するように構成されている（例えば、支持断面部及びボール溝は相互に支持する）。
【００２９】
本実施形態のスライドレール組立体２０は、従来技術と比較すると、下記の観点から従来技術と相違する利点を有する。
【００３０】
１：従来技術（図１又は３を参照）の支持部材１２０と第１ブロック基部１１０の間に形成されたギャップ１２４と比較すると、本発明の実施形態の少なくとも一つの機能部材の第１機能部分５０は、第１レール２２の通路３８の中に位置する。第２機能部分５２が第１機能部分５０から延び、第１レール２２の第１端部２２ａを越え、第１レール２２の通路３８の外に配置される。従って、少なくとも一つの機能部材（例えば第１機能部材２８又は第２機能部材３０）は、高められた構造的な強度を有する。この第２レール２４が第２所定位置Ｐ２に位置するときに、少なくとも一つの機能部材の第２機能部分５２は、第２レール２４のレール区間Ｘの少なくとも一部を支持するように構成でき、少なくとも一つの機能部材の第１機能部分５０は、スライド補助デバイス２６を阻み、第１レール２２の通路３８の中から第１レール２２の通路３８の外へスライド補助デバイス２６が移動されることを防止するように構成できる。
【００３１】
２：ブラケットデバイス３３の第１支持壁５４ａは、第１レール２２の第１壁３４ａと第１機能部材２８の第２機能部分５２とを支持するように構成されている。ブラケットデバイス３３の第２支持壁５４ｂは、第１レール２２の第２壁３４ｂと第２機能部材３０の第２機能部分５２とを支持するように構成されている。このようにブラケットデバイス３３，第１レール２２及び少なくとも一つの機能部材（例えば第１機能部材２８と第２機能部材３０）は、互いに支持しあうことができ、構造の強度を高めることができる。
【００３２】
３：余分な材料は削減でき、在庫管理のコストもまた削減できる。
【００３３】
当業者は、本発明の教示に従う間は、装置及び方法の多数の変形及び改変がなされてよいことを容易に観察することである。従って、上記の開示は、添付の請求項の範囲及び限度によってのみ限定されるものとして解釈されることとする。
【図１】
0006980086.tif 000002
【図２】
0006980086.tif 000003
【図３】
0006980086.tif 000004
【図４】
0006980086.tif 000005
【図５】
0006980086.tif 000006
【図６】
0006980086.tif 000007
【図７】
0006980086.tif 000008
【図８】
0006980086.tif 000009
【図９】
0006980086.tif 000010
【図１０】
0006980086.tif 000011